(57)【要約】【課題】避難者が緊急時に地面から高所に昇る必要がなく、水害時に発生する漂流物の衝突時の衝撃を逃がす構造を有する水害避難タワーを提供する。【解決手段】本発明の水害避難タワーは、下端部が地中に固定された一本のポール１と、  前記ポール１に挿通され上下方向及び回転方向に可動に取り付けられた避難者を収容する浮体５とからなり、水害時の水位変動につれて避難者を収容した浮体５がポール１に沿って上昇又は下降出来、また水の流れに応じて浮体５がポール１の外周面に沿って回転出来ることを特徴とする。【選択図】図１
2008174919.tif 000002
【特許請求の範囲】
【請求項１】
下端部が地中に固定された一本のポールと、
前記ポールに挿通され上下方向及び回転方向に可動に取り付けられた避難者を収容する浮体と、
からなり、
水害時の水位変動につれて前記避難者を収容した前記浮体が前記ポールに沿って上昇又は下降出来、また水の流れに応じて前記浮体が前記ポールの外周面に沿って回転出来ることを特徴とする水害避難タワー。
【請求項２】
前記ポールは地中に埋設された基部に固定されている請求項１に記載の水害避難タワー。
【請求項３】
前記浮体の重量の少なくとも一部を前記ポールに保持させる浮体重量保持手段を有する請求項１又は２に記載の水害避難タワー。
【請求項４】
前記浮体重量保持手段は、該浮体を端部に吊り下げる吊下材と、前記ポールの上部に取り付けられ前記吊下材を案内する滑車と、前記吊下材の反対端部に取り付けられた前記ポールの内部にぶら下がるおもりと、からなる請求項３に記載の水害避難タワー。
【請求項５】
前記浮体を前記ポールにそって上下方向に駆動する浮体昇降手段を有する請求項１〜４の何れかに記載の水害避難タワー。
【請求項６】
前記浮体昇降手段は、巻き上げ装置である請求項５記載の水害避難タワー。
【請求項７】
前記浮体の底部に取り付けられた複数のフィンを有する請求項１〜６の何れかに記載の水害避難タワー。
【請求項８】
前記浮体は前記ポールの挿通箇所に該浮体の回転を制御する回転速度制御装置を有する請求項７に記載の水害避難タワー。
【請求項９】
前記浮体は上部に転落防止用柵及び／又は上部面に該浮体内部に出入り出来る密閉可能な出入口を有する請求項１〜８の何れかに記載の水害避難タワー。
【発明の詳細な説明】
【技術分野】
【０００１】
本発明は、水害時に緊急に避難することが出来る避難用構築物に関する。
【背景技術】
【０００２】
地震による津波や台風、高潮、又は集中豪雨等による洪水等の高潮水害時には、予想される水位以上の高台へ早急に避難することだとされている。しかし高台や高層建築物がない平野部や又あっても離れていて速やかな避難が困難な場所は極めて多い。このような場合の対策として予想水位以上の高さの床面を有するタワー型の避難台や浸水時に浮上する台船型構造の建築物が提案されている。
【０００３】
例えば特許文献１には昇降設備を設けた津波避難用タワーが開示されている。この津波避難用タワーは予想水位以上の位置において避難が予想される人員を収容しうる床面を設け、地面から床面に至る階段やスロープ等の昇降設備を設け、更に避難時に人や資材を昇降出来る巻上機等の避難用設備を設けている。
【０００４】
また特許文献２においては、浮体の上に建築物を固定し、浮体はアンカー装置によってプール型基礎に連結され、水の浮力で浮体を上方に浮上させ、アンカー装置によって浮体の水平方向の流動を阻止する浸水浮上建築物が開示されている。アンカー装置はアンカーポールと係止部材とを備え、アンカーポールが摺動スライドして下方に伸びていく構造が示されている。
【特許文献１】特開２００６−８３５４９号公報
【特許文献２】特開２００６−２４９９１５号公報
【発明の開示】
【発明が解決しようとする課題】
【０００５】
上記特許文献１に記載のような津波避難用タワーでは、予想水位以上の位置に設置された床面まで多数の避難者が昇ることが必要であり、それは非常な困難が伴い相当な時間も要する。また巻き上げ機等の避難用設備によって人を昇降させるのも時間がかかる。
【０００６】
また上記特許文献２に記載の浸水浮上建築物ではアンカー装置によって浮体の水平方向の流動を阻止されており、水害時に多量に発生する漂流物が浸水浮上建築物に衝突しても上下方向にしか動けないため衝突の衝撃を免れない。
【０００７】
本発明は、このような事情に鑑みて為されたものであり、避難者が緊急時に地面から高所に昇る必要がなく、水害時に発生する漂流物の衝突時の衝撃を逃がす構造を有する水害避難タワーを提供することを目的とする。
【課題を解決するための手段】
【０００８】
本発明の水害避難タワーは、下端部が地中に固定された一本のポールと、前記ポールに挿通され上下方向及び回転方向に可動に取り付けられた避難者を収容する浮体と、からなり、水害時の水位変動につれて前記避難者を収容した前記浮体が前記ポールに沿って上昇又は下降出来、また水の流れに応じて前記浮体が前記ポールの外周面に沿って回転出来ることを特徴とする。
【０００９】
このような構成を採用したことにより、固定されたポールと浮体とからなる簡易な構成であるため、比較的に安価で狭所にも設置可能である。また避難者を収容した浮体が水位変動に応じて上昇又は下降出来るので、避難者が緊急時にあらかじめ高所に昇る必要がなく、浮体への避難が短時間に簡便に行える。また浮体は挿通されたポールの外周に沿って回転出来るので、水害時に流されてくる漂流物に衝突してもその衝撃を逃がすことが出来浮体が破損するのを抑制出来る。
【００１０】
また、前記ポールは地中に埋設された基部に固定されている構成をとることが出来る。ポールを基部に固定することにより、より水害時にポールが流されにくく、安定した水害避難タワーとなる。
【００１１】
また前記浮体の重量の少なくとも一部を前記ポールに保持させる浮体重量保持手段を有する構成をとることが出来る。浮体重量保持手段によって前記浮体の重量を前記ポールに保持させると浮体そのものの重さによる力が重力方向にかからない。そのため浮体は浮きやすい構造となり、水位変動に鋭敏に反応し浮体を上昇又は下降することが出来る。
【００１２】
例えば前記浮体重量保持手段は、該浮体を端部に吊り下げる吊下材と、前記ポールの上部に取り付けられ前記吊下材を案内する滑車と、前記吊下材の反対端部に取り付けられた前記ポールの内部にぶら下がるおもりと、からなる構成をとることが出来る。
【００１３】
浮体はポールの上部に取り付けられた滑車に案内された吊下材の一方の端部に取り付けられ、吊下材の反対側の端部におもりが取り付けられ、おもりは滑車に案内されてポールの内部にぶら下がっている。おもりの重量を浮体重量と同等又はそれ以上の重さとすると浮体の重さをポールに保持させることが出来る。
【００１４】
また前記浮体を前記ポールにそって上下方向に駆動する浮体昇降手段を有する構成をとることが出来る。浮体昇降手段を有することによって、水位変動によらず前記浮体を上下方向に駆動することが出来る。例えば避難者を収容した後、水害が起こる前に浮体を上昇させておくことが出来る。例えば前記浮体昇降手段は、巻き上げ装置とすることが出来る。
【００１５】
また前記浮体は、前記浮体の底部に取り付けられた複数のフィンを有する構成とすることが出来る。フィンが浮体の底部に取り付けられた構成を取ることによって、浮体の回転を水の流れに応じて回転させやすくなる。
【００１６】
また前記浮体は前記ポールの挿通箇所に該浮体の回転を制御する回転速度制御装置を有する構成をとることが出来る。回転速度制御装置を有することによって、漂流物の衝突等によって前記浮体の回転の速度が早くなるときに前記浮体の回転を制御して前記浮体に収容されている避難者にとって過度に負担となるような回転速度を抑制することが出来る。
【００１７】
また前記浮体は上部に転落防止用柵及び／又は上部面に該浮体内部に出入り出来る密閉可能な出入口を有する構成を取ることが出来る。避難者は浮体の上部及び／又は内部に収容されることが出来る。上部に転落防止用柵があることによって、上部に収容される避難者が揺れ等によって転落するのを防止出来る。また上部面に密閉可能な出入口を有することによって浮体内部に水の侵入を防止できる密閉された空間が出来る。浮体上部や内部には簡易トイレ、食料、飲料水等の避難用の備品をあらかじめ収納しておくことも出来る。
【発明の効果】
【００１８】
本発明の水害避難タワーは、簡易な構成であるため、比較的に安価で狭所にも設置可能である。また避難者を収容した浮体が水位変動に応じて上昇又は下降出来るので、避難者が緊急時にあらかじめ高所に昇る必要がなく、浮体への避難が短時間に簡便に行える。
【００１９】
また浮体は挿通されたポールの外周に沿って回転出来るので、水害時に流されてくる漂流物に衝突してもその衝撃を逃がすことが出来、浮体が破損するのを抑制出来る。
【発明を実施するための最良の形態】
【００２０】
本発明の水害避難タワーは、下端部が地中に固定された一本のポールと、前記ポールに挿通された浮体と、からなる。
【００２１】
ポールは下端部が動かないように地中に固定されていれば特に限定されない。下端部の固定は地中に埋設された基部に固定されていてもよい。ポールは浮体の重さを保持できる剛性を有するものが好ましい。又ポールはパイプ形状となっているものが好ましい。ポールの高さは水害避難時に予想される水位によって浮体の位置が押し上げられても浮体がポールから抜けない程度の高さがあればよい。
【００２２】
浮体は前記ポールに挿通され、上下方向及び回転方向に可動に取り付けられ、避難者を収容出来るものであれば特に限定されない。浮体であるので水に浮くことが前提である。浮体形状として中央部にポールを挿通させる挿通孔を有する円柱体が挙げられるが特に形状は限定されない。浮体はポールの上下方向及び回転方向に可動であり、避難者は浮体の上部及び／又は内部に収容されることが出来る。浮体は避難者の収容時に安全な避難場所を提供できるように、上部に柵や内部に出入りできる密閉できる出入口を有しても良い。
【００２３】
浮体の大きさは、収容する避難者の想定人数によってポールの太さとともに設定できる。また浮体は金属製でも良いし繊維強化プラスチック製でもよい。浮体は水面が浮体重量と避難者など浮体に収容されるものの重量の合計にかかる重力と浮体の浮力とのバランスによる喫水線以上となると浮体の浮上が始まる。従って浮体重量は軽い方が避難者をより多く収容出来好ましい。
【００２４】
また浮体の重さの少なくとも一部をポールに保持させる浮体重量保持手段を有しても良い。浮体重量を一部又は全部ポールに保持させることが出来れば、浮体にかかる重量は浮体重量の一部及び浮体に収容するものや人の重量となり、浮体重量をポールに保持させた分避難者をより多く収容できる。例えばパイプ状のポールの内部に浮体重量と概略同等のおもりを吊下材を用いて吊り下げ、吊下材の反対端部をポールの上部に固定した滑車を介して浮体に取り付けることによって、浮体の重量をポールに保持させることが出来る。
【００２５】
おもりの重さは浮体重量をどれだけポールに保持させるかによって適宜設定できる。又吊下材としてワイヤー、ロープ、チェーン等が挙げられる。滑車は吊下材が案内できるものであれば特に限定されない。
【００２６】
また前記浮体を前記ポールにそって上下方向に駆動する浮体昇降手段を有することも出来る。浮体を水位によらず昇降する手段を有することによってあらかじめ水害発生前に浮体の位置を上昇させておくことが出来る。浮体昇降手段として一般的に用いられる様々な手段を使用することが出来る。ポールの上部と浮体とを結ぶ吊下材の距離を縮めることによって浮体とポール上部との距離を小さくするすなわちポールに沿って浮体を上昇させることが出来る。例えば浮体昇降手段として浮体をポールの上部に固定した滑車を介して巻き上げる巻き上げ機が挙げられる。
【００２７】
また浮体の底部に複数のフィンを取り付ける構成を取ることが出来る。フィンは浮体底部にポールにそって同心円状に取り付けられ、水の流れによって浮体の回転を助ける作用を有するものであれば形状、材質共に特に限定されない。また前記ポールの挿通箇所に該浮体の回転を制御する回転速度制御装置を有することも出来る。回転速度制御とは回転速度が速い又は回転方向が頻繁に変化するような場合にブレーキをかけることが出来る装置であればよい。例えば摩擦によって速度を制御する方法が挙げられる。
【実施例】
【００２８】
本発明の水害避難タワーの実施例を図面を参照して説明する。
【００２９】
図１に本発明の水害避難タワーの一実施例の模式図を示す。図２は図１に示す水害避難タワーの巻き上げ機と回転速度制御装置を拡大して表す拡大側面図であり、図３は浮体５の背面からみた背面図である。図４は図１のポール上部を拡大した拡大側面図であり、図５は図４のＡ−Ａ断面から見た上面図である。また図６に本発明の他の実施例の浮体内部を説明する説明図を示す。
【００３０】
図１に示すように一本のポール１の下端部は地盤１００に埋設された直方体形状のコンクリート製の基部６に固定されている。地盤１００にはポールを固定した基部６の上部にプール状凹み７が形成されている。そしてドーナツ形状の浮体５がポール１を挿通し、プール状凹み７内に設置されている。
【００３１】
浮体５、ポール１、基部６の大きさは、必要に応じて自由に設計できる。プール状凹み７の深さは浮体５の高さとほぼ同等かそれよりも低く、地盤１００の表面と浮体５の上面とがほぼ同等の高さに位置している。
【００３２】
浮体５は内部に空間を有する中央にポール１が挿通出来る孔を有する円柱形状であり、上面に人が乗れるような甲板形状の天井部材５１を有する。浮体５のすべての縁は、安全のため曲面となっている。天井部材５１の端には上面に避難者が乗ったときに、浮体５から落下しないように落下防止柵８が円周状に設けられている。また天井部材５１には浮体５の内部に出入り出来るハッチ５２が設けられている。避難者はハッチ５２を通って浮体５の内部空間にも出入りできる。ハッチ５２は密閉出来る構造となっており、天井部材５１の上部に水位があがってもハッチ５２から浮体５の内部空間には水は侵入しない。
【００３３】
天井部材５１にはまた地盤１００から天井部材５１の上面に乗り降りするためのタラップ１１が設けられている。タラップ１１は図１においては、平板で天井部材５１の上面から地盤１００にかけられる渡し板として記載されているが、特に形状の限定はなく、はしごでもよい。タラップ１１は浮体５に取り付けられており、浮体５に収容できる。浮体５の上面及び内部には、備蓄食糧や各種避難用器具が収納されていても良い。
【００３４】
浮体５の下面にはフィン１０が取り付けられている。図３に浮体５の下面側から見た背面図を示す。フィン１０は羽根形状の複数の部材であり、浮体５の回転がスムーズにいくように配置されていれば、特に限定されない。図３では８枚の三角形状のフィン１０が浮体５の下面の縁に沿って時計回りに傾き、ポール１の孔を中心として浮体５の下面の半径の半分より外側にひかれた円上にフィン１０の先が並ぶように円周状に取り付けられている様子が記載されている。
【００３５】
プール状凹み７は、地盤１００から浮体５の上面に避難者が乗りやすくするために、地盤１００とプール状凹み７内に設置されている浮体５の上面がほぼ同じ位置になるような大きさに凹んで作られている。またプール状凹み７に水害時に水が侵入しやすくするためにまた排水しやすくするためにプール状凹み７には導水路９２及び排水路９１が形成されている。導水路９２及び排水路９１は、地盤１００に埋設され、各々の導水口及び排水口がプール状凹み７に開口している。排水口が導水口より下部に取り付けられていればよい。
【００３６】
ポール１には、その上部に滑車４が２カ所取り付けられており、滑車４に案内された２本の吊下材２によって、ポール１の内部にぶら下がるおもり３と、浮体５とが釣り合わされ、浮体５はポール１に重量を保持されている。図４にポール１の上部を拡大した拡大側面図を示す。ポール１の上部には吊下材支持部２００が設置されている。吊下材支持部２００は上部にポール１の直径よりも大きな長さを持つ箱型の土台とおもり吊り下げ用開口部２１０を有する頂点を切った円錐状の上部部材と土台からつながりポール１の内部に挿通する円筒とで構成されている。円筒にはポール１の内部壁面との接触面に複数のベアリング２０１が円筒の廻りに沿って周状に設置されている。またおもり３は円柱状の形状をしておりポール１の内部面に接触しないようにつり下げられている。
【００３７】
図５に図４のＡ−Ａ断面から見た上面図を示す。図４及び図５に示すように、土台の端２カ所には第１おもり吊り下げ用滑車４１と第２おもりつり下げ用滑車４３とが取り付けられており、第１おもり吊り下げ用滑車４１と第２おもりつり下げ用滑車４３とに案内された吊下材２は、上部部材のおもり吊り下げ用開口部２１０の端に設けられた２つの案内滑車に案内され、円筒の内部を通っておもり３を保持している。
【００３８】
おもり３は少なくとも浮体５と同等の重さを有する。積載する物品や予想避難者の重量を加算し、最大積載重量を足したおもりとしてもよい。おもりが浮体５の重量より重いと浮体５はプール状凹み７の下面よりポール１に沿って上方に位置することになる。
【００３９】
吊下材２は、おもりと反対側の端部は浮体５に取り付けられている。取り付ける場所は特に限定されないが、浮体５の重さをバランス良くポール１に保持できる箇所に取り付ければよい。図１では浮体５の下面の開口部付近に２つのアンカー１３で２本の各吊下材２を固定している。図１では上記した吊下材支持部２００はポール１の上部に設置されているだけなので、浮体５の回転に伴ってポール１上を回転できる。ポール１の上面と吊下材支持部２００との接触面にも図示されていないがベアリング等が取り付けられていても良い。
【００４０】
また吊下材支持部２００の土台には浮体巻き上げ用滑車４２が固定されている。浮体巻き上げ用滑車４２に案内される吊下材２は、片端が浮体５の浮体天井部５に固定され、他端が浮体５の浮体天井部５１に固定された巻き取り機２０につながっている。巻き取り機２０を吊下材２を巻き取る方向に動かすことによって、浮体５をポールの上部方向に動かすことが出来る。巻き取り機２０は、この実施例に限定されない。例えばチェンブロック又はウインチなどの巻上機が挙げられ、動力によって駆動するもの、手動によって駆動するものを問わない。
【００４１】
図１の浮体５のポール１挿通孔付近を拡大した図を図２に示す。図２には巻き上げ機２０と回転速度制御装置１２が拡大して記載されている。図２に示すように浮体５のポール１の挿通孔に接触する面に回転速度制御装置１２が取り付けられている。回転速度制御装置１２は複数のベアリング１２１がポール１の外周面に沿った浮体５の内周面に取り付けられており、浮体５の回転が速くなったときに回転速度制御装置１２の接触面とポール１とが接触してブレーキをかける機能を有する。従って回転速度制御装置１２のポール１との接触面はクッション性のある素材が用いられるのが好ましい。
【００４２】
上記構造を持つ水害避難タワーは以下のように機能する。津波警報などの何らかの水位上昇の危険を察知した避難者は、水位が上昇する前にこの水害避難タワーに避難する。水害避難タワーの浮体５の上面は地盤１００と同等な位置に配置されているので、乗降に苦労なく素早く避難者が避難できる。避難者は浮体５の上面にいることも出来るしハッチ５２を通じて浮体５の内部にも避難することが出来る。浮体は水面が浮体重量と避難者など浮体に収容されるものの重量の合計にかかる重力と浮体の浮力とのバランスによる喫水線以上となると浮体の浮上が始まる。浮体５は少なくともその重量がポール１に保持されているので、浮体重量が無視でき、避難者をより多く収容できる。
【００４３】
浮体５は吊下材２と共にポール１の廻りを回転できる。そのため漂流物が浮体５に衝突しても、浮体５が回転することによってその衝撃を和らげることが出来る。また浮体５にはフィン１０が底面に取り付けられているので、水の流れによって浮体５の回転を助ける作用を有する。浮体５はポール１に挿通されているので、ポール１に沿って上下方向及び回転方向には動くが水によってポールから離れてどこかに流されていくことはない。また水位が上昇する前に、避難者の乗降が終わった時点で巻き上げ機２０によって浮体５をあらかじめ上方に巻き上げておくことも出来る。また回転速度制御装置１２が設置されているので、浮体５の回転が早くなったときに浮体５の回転にブレーキをかけることができる。
【００４４】
また水害避難タワーの他の実施例を図６に示す。地盤１００に埋設された基部６に固定されているポール１は図１と同様なものである。図１と違うところを以下に説明する。図６において浮体５は内部に避難者を収容できる空間を多くとっている。浮体５の上面には、複数のハッチ５２が密閉出来るように取り付けられている。浮体５の内部空間には避難者が座ることが出来る椅子５３や避難時に必要となる食料や器具などの非常用物品を積載しておくことが出来る。浮体５への地盤１００からの乗降は浮体５の側面に固定された複数のはしご１１１を用いて行える。浮体５が水面の上昇に伴い地盤１００よりも高い位置にあっても浮体５に容易に乗降することが出来る。
【００４５】
図６に示した実施例の場合は、水位があがって浮体５が上昇を始めていても避難者ははしご１１１を用いて浮体５に容易に乗降でき、また内部空間に多数の避難者を収容できる。
【００４６】
このように本発明の水害避難タワーは、簡易な構成で、比較的に安価で狭所にも設置可能であり、避難者が緊急時にあらかじめ高所に昇る必要がなく、浮体への避難が短時間に簡便に行える。また浮体は挿通されたポールの外周に沿って回転出来るので、水害時に流されてくる漂流物に衝突してもその衝撃を逃がすことが出来、浮体が破損するのを抑制出来る。
【図面の簡単な説明】
【００４７】
【図１】本発明の水害避難タワーの一実施例の模式図を示す。
【図２】図１に示す水害避難タワーの巻き上げ機と回転速度制御装置を拡大して表す拡大側面図である。
【図３】浮体５の背面からみた背面図である。
【図４】図１のポール上部を拡大した拡大側面図である。
【図５】図４のＡ−Ａ断面から見た上面図である。
【図６】本発明の他の実施例の浮体内部を説明する説明図である。
【符号の説明】
【００４８】
１、ポール、２、吊下材、３、おもり、４、滑車、４１、第１おもり吊り下げ用滑車、４２、浮体巻き上げ用滑車、４３、第２おもり吊り下げ用滑車、５、浮体、５１、浮体天井部、５２、ハッチ、５３、椅子、６、基部、７、プール状凹み、８、転落防止柵、９１、排水路、９２、導水路、１０、フィン、１１、タラップ、１１１、はしご、１２、回転制御装置、１２１、ベアリング、１３、アンカー、２０、巻き取り機、１００、地盤、２００、吊下材支持部、２０１、ベアリング、２１０、おもり吊り下げ用開口部。
【図１】
2008174919.tif 000003
【図２】
2008174919.tif 000004
【図３】
2008174919.tif 000005
【図４】
2008174919.tif 000006
【図５】
2008174919.tif 000007
【図６】
2008174919.tif 000008